(57)【要約】【課題】ファクシミリ装置の誤送信の発生原因を詳細に検証可能とする。【解決手段】記憶制御部は、少なくともファクシミリ送信された宛先の宛先情報及び操作履歴を、送信ジョブ情報と関連づけて記憶部に記憶する。検索部は、指定した送信ジョブ情報に関連づけられた操作履歴を検索する。そして、表示制御部が、検索部で検索された操作履歴を表示部に表示する。これにより、誤送信が発生した際に、操作履歴に基づいて、誤送信が発生した宛先の入力操作等を検証できる。このため、誤送信の未然の防止に貢献することができる。【選択図】図１４
2018152732.tif 000002
【特許請求の範囲】
【請求項１】
入力された宛先に対してファクシミリ送信を行うファクシミリ装置であって、
少なくともファクシミリ送信された宛先の宛先情報及び操作履歴を、送信ジョブ情報と関連づけて記憶部に記憶制御する記憶制御部と、
指定した送信ジョブ情報に関連づけられた前記操作履歴を検索する検索部と、
前記検索部で検索された前記操作履歴を表示部に表示する表示制御部と、
を有することを特徴とするファクシミリ装置。
【請求項２】
前記記憶制御部は、ファクシミリ送信した画像を、前記各送信ジョブ情報に関連づけて前記記憶部に記憶制御し、
前記検索部は、画像の読み取りを行う読み取り部で読み取られた画像に類似した画像を、前記記憶部から検索し、検索した画像に関連づけされている送信ジョブ情報を特定し、特定した送信ジョブ情報に関連づけられている前記操作履歴を検索すること
を特徴とする請求項１に記載のファクシミリ装置。
【請求項３】
前記検索部は、受信したファクシミリ通信の受信元に対して送信した前記送信ジョブ情報を前記記憶部から特定し、特定した送信ジョブ情報に関連づけられている前記送信履歴を検索し、
前記表示制御部は、前記受信元にファクシミリ送信を行った際に前記記憶部に記憶された前記操作履歴を前記表示部に表示すること
を特徴とする請求項１又は請求項２に記載のファクシミリ装置。
【請求項４】
前記表示制御部は、前記記憶部に記憶されている前記送信ジョブ情報を前記表示部に表示する際に、前記送信ジョブ情報の中から所望の送信ジョブ情報を選択するための選択ボタンを表示し、前記選択ボタンで選択された送信ジョブ情報に対応する前記操作履歴を表示すること
を特徴とする請求項１から請求項３のうち、いずれか一項に記載のファクシミリ装置。
【請求項５】
前記記憶制御部は、宛先を少ない手順で入力する短縮宛先入力操作が行われた際に、前記短縮宛先入力操作に割り当てられている短縮宛先情報を、前記宛先情報に含めて前記記憶部に記憶制御し、
前記表示制御部は、前記短縮宛先情報を含めて前記操作履歴の表示を行うこと
を特徴とする請求項１から請求項４のうち、いずれか一項に記載のファクシミリ装置。
【請求項６】
前記表示制御部は、テキスト表示、画像表示又は動画表示のいずれかで、前記操作履歴の表示を行うこと
を特徴とする請求項１から請求項５のうち、いずれか一項に記載のファクシミリ装置。
【請求項７】
前記表示制御部は、前記操作履歴の前記画像表示を行う際、前記操作履歴に基づいて、操作されたボタンの表示形態を変更した画像を順次生成して前記表示部に表示すること
を特徴とする請求項１から請求項６のうち、いずれか一項に記載のファクシミリ装置。
【請求項８】
前記表示制御部は、前記操作履歴の前記動画表示を行う際、予め生成された各ボタン操作の動画像の中から、前記操作履歴に対応する各ボタンの動画像を選択し、前記操作履歴に沿った一連の動画像を生成して前記表示部に表示すること
を特徴とする請求項１から請求項６のうち、いずれか一項に記載のファクシミリ装置。
【請求項９】
前記記憶制御部は、入力操作部の操作位置を示す操作位置情報を、前記宛先情報、操作履歴及び送信ジョブ情報と関連づけて前記記憶部に記憶制御し、
前記表示制御部は、前記操作履歴の前記画像表示又は前記動画表示を行う際に、前記画像上又は動画像上に、前記操作位置情報に基づいて操作位置を示す所定の画像又は動画像を表示すること
を特徴とする請求項７又は請求項８に記載のファクシミリ装置。
【請求項１０】
入力された宛先に対してファクシミリ送信を行うファクシミリ装置の情報処理プログラムであって、
コンピュータを、
少なくともファクシミリ送信された宛先の宛先情報及び操作履歴を、送信ジョブ情報と関連づけて記憶部に記憶制御する記憶制御部と、
指定した送信ジョブ情報に関連づけられた前記操作履歴を検索する検索部と、
前記検索部で検索された前記操作履歴を表示部に表示する表示制御部として機能させること
を特徴とする情報処理プログラム。
【請求項１１】
前記記憶制御部は、ファクシミリ送信した画像を、前記各送信ジョブ情報に関連づけて前記記憶部に記憶制御し、
前記検索部は、画像の読み取りを行う読み取り部で読み取られた画像に類似した画像を、前記記憶部から検索し、検索した画像に関連づけされている送信ジョブ情報を特定し、特定した送信ジョブ情報に関連づけられている前記操作履歴を検索すること
を特徴とする請求項１０に記載の情報処理プログラム。
【請求項１２】
前記検索部は、受信したファクシミリ通信の受信元に対して送信した前記送信ジョブ情報を前記記憶部から特定し、特定した送信ジョブ情報に関連づけられている前記送信履歴を検索し、
前記表示制御部は、前記受信元にファクシミリ送信を行った際に前記記憶部に記憶された前記操作履歴を前記表示部に表示すること
を特徴とする請求項１０又は請求項１１に記載の情報処理プログラム。
【請求項１３】
前記表示制御部は、前記記憶部に記憶されている前記送信ジョブ情報を前記表示部に表示する際に、前記送信ジョブ情報の中から所望の送信ジョブ情報を選択するための選択ボタンを表示し、前記選択ボタンで選択された送信ジョブ情報に対応する前記操作履歴を表示すること
を特徴とする請求項１０から請求項１２のうち、いずれか一項に記載の情報処理プログラム。
【請求項１４】
前記記憶制御部は、宛先を少ない手順で入力する短縮宛先入力操作が行われた際に、前記短縮宛先入力操作に割り当てられている短縮宛先情報を、前記宛先情報に含めて前記記憶部に記憶制御し、
前記表示制御部は、前記短縮宛先情報を含めて前記操作履歴の表示を行うこと
を特徴とする請求項１０から請求項１３のうち、いずれか一項に記載の情報処理プログラム。
【請求項１５】
前記表示制御部は、テキスト表示、画像表示又は動画表示のいずれかで、前記操作履歴の表示を行うこと
を特徴とする請求項１０から請求項１４のうち、いずれか一項に記載の情報処理プログラム。
【請求項１６】
前記表示制御部は、前記操作履歴の前記画像表示を行う際、前記操作履歴に基づいて、操作されたボタンの表示形態を変更した画像を順次生成して前記表示部に表示すること
を特徴とする請求項１０から請求項１５のうち、いずれか一項に記載の情報処理プログラム。
【請求項１７】
前記表示制御部は、前記操作履歴の前記動画表示を行う際、予め生成された各ボタン操作の動画像の中から、前記操作履歴に対応する各ボタンの動画像を選択し、前記操作履歴に沿った一連の動画像を生成して前記表示部に表示すること
を特徴とする請求項１０から請求項１５のうち、いずれか一項に記載の情報処理プログラム。
【請求項１８】
前記記憶制御部は、入力操作部の操作位置を示す操作位置情報を、前記宛先情報、操作履歴及び送信ジョブ情報と関連づけて前記記憶部に記憶制御し、
前記表示制御部は、前記操作履歴の前記画像表示又は前記動画表示を行う際に、前記画像上又は動画像上に、前記操作位置情報に基づいて操作位置を示す所定の画像又は動画像を表示すること
を特徴とする請求項１６又は請求項１７に記載の情報処理プログラム。
【発明の詳細な説明】
【技術分野】
【０００１】
本発明は、ファクシミリ装置及び情報処理プログラムに関する。
【背景技術】
【０００２】
ファクシミリ装置において、ユーザが意図していない宛先に対する誤送信は、例えば情報漏洩のおそれ等があるため好ましいことではない。誤送信の原因としては、ユーザの宛先入力ミスが考えられる。そこで、宛先を入力した後に、確認のために宛先の再入力を行わせ、また、送信を開始する前に、入力した宛先の一覧を表示することで、宛先入力ミスによる誤送信の防止を図る技術が知られている。
【０００３】
また、特許文献１（特開２０１０−１９９８０１号公報）には、入力したワンタッチ宛先に対して確認項目を入力させ、入力された確認項目が、ワンタッチ宛先の確認項目と一致した場合にファクシミリ送信を行うことで、誤送信の防止を図る画像通信装置が開示されている。
【０００４】
ここで、従来のファクシミリ装置は、ファクシミリ送信履歴を記憶しており、ユーザから指定された際に、ファクシミリ送信済みの送信先名及びファクシミリ番号等を表示部に表示し又はプリントアウトする。ユーザは、誤送信が発生した場合、表示部に表示され、又は用紙にプリントされた送信先及びファクシミリ番号等と、正確な送信先及びファクシミリ番号等を見比べて、過去に行われたファクシミリ送信の正否を検証する。
【発明の概要】
【発明が解決しようとする課題】
【０００５】
しかし、従来のファクシミリ装置の場合、ユーザは上述の見比べを行うことで、過去に行われたファクシミリ送信の正否を検証する。このため、例えば「どの時点でどのような操作を行ったために誤送信が発生した」等の詳細な検証を行うことは困難となっていた。誤送信の発生原因を詳細に検証できれば、誤送信の防止に、より貢献できる。
【０００６】
本発明は、上述の課題に鑑みてなされたものであり、誤送信の発生原因を詳細に検証可能とすることで、誤送信の防止に貢献可能なファクシミリ装置及び情報処理プログラムの提供を目的とする。
【課題を解決するための手段】
【０００７】
上述した課題を解決し、目的を達成するために、入力された宛先に対してファクシミリ送信を行うファクシミリ装置であって、少なくともファクシミリ送信された宛先の宛先情報及び操作履歴を、送信ジョブ情報と関連づけて記憶部に記憶制御する記憶制御部と、指定した送信ジョブ情報に関連づけられた操作履歴を検索する検索部と、検索部で検索された操作履歴を表示部に表示する表示制御部と、を有する。
【発明の効果】
【０００８】
本発明によれば、誤送信の発生原因を詳細に検証可能とすることで、誤送信の防止に貢献できるという効果を奏する。
【図面の簡単な説明】
【０００９】
【図１】図１は、実施の形態のファクシミリ装置の概要を説明するための図である。
【図２】図２は、第１の実施の形態のファクシミリ装置のブロック図である。
【図３】図３は、第１の実施の形態のファクシミリ装置に設けられている不揮発性メモリ及びＲＡＭの記憶領域を説明するための図である。
【図４】図４は、第１の実施の形態のファクシミリ装置に設けられている操作記録テーブルの模式図である。
【図５】図５は、第１の実施の形態のファクシミリ装置に設けられている送信画像テーブルの模式図である。
【図６】図６は、第１の実施の形態のファクシミリ装置に設けられている送信履歴テーブルの模式図である。
【図７】図７は、第１の実施の形態のファクシミリ装置に設けられている受信履歴テーブルの模式図である。
【図８】図８は、第１の実施の形態のファクシミリ装置に設けられている一時操作記録テーブルの模式図である。
【図９】図９は、第１の実施の形態のファクシミリ装置に設けられているファクシミリ制御プログラムを実行することで実現される各機能の機能ブロック図である。
【図１０】図１０は、第１の実施の形態のファクシミリ装置のファクシミリ送信動作を説明するためのフローチャートである。
【図１１】図１１は、第１の実施の形態のファクシミリ装置における、送信画像に基づく入力検証動作の流れを示すフローチャートである。
【図１２】図１２は、第１の実施の形態のファクシミリ装置のタッチパネルに表示される操作画面の一例を示す図である。
【図１３】図１３は、送信画像に基づく入力検証時に表示される、誤送信が生じた原稿の読み取りを促すメッセージ画面の一例を示す図である。
【図１４】図１４は、送信画像に基づく入力検証結果となる操作履歴のテキスト表示例を示す図である。
【図１５】図１５は、第１の実施の形態のファクシミリ装置における、受信履歴に基づく入力検証動作の流れを示すフローチャートである。
【図１６】図１６は、受信履歴に基づく入力検証結果となる操作履歴のテキスト表示例を示す図である。
【図１７】図１７は、第２の実施の形態のファクシミリ装置において、送信履歴となる送信ジョブに、入力検証を行う送信ジョブを指定するための操作確認ボタンを付加して表示した表示画面の一例を示す図である。
【図１８】図１８は、操作確認ボタンで選択された送信ジョブの入力検証結果となる操作履歴のテキスト表示例を示す図である。
【図１９】図１９は、ワンタッチボタンの操作履歴と共に、操作されたワンタッチボタンに割り当てられている宛先内容を表示する第３の実施の形態のファクシミリ装置における、入力検証結果となる操作履歴のテキスト表示例を示す図である。
【図２０】図２０は、ワンタッチボタンの操作履歴と共に、操作されたワンタッチボタンに割り当てられている宛先内容を記録した、第３の実施の形態のファクシミリ装置に設けられている操作記録テーブルの模式図である。
【図２１】図２１は、画像的（イメージ的）に操作履歴の検証を行う第４の実施の形態のファクシミリ装置における表示画面の一例を示す図である。
【図２２】図２２は、画像的（イメージ的）に操作履歴の検証を行う第４の実施の形態のファクシミリ装置における表示画面の他の例を示す図である。
【図２３】図２３は、動画で操作履歴の検証を行う第５の実施の形態のファクシミリ装置における検証開始前の表示画面の一例を示す図である。
【図２４】図２４は、動画で操作履歴の検証を行う第５の実施の形態のファクシミリ装置における検証開始から１秒経過後の表示画面の一例を示す図である。
【図２５】図２５は、動画で操作履歴の検証を行う第５の実施の形態のファクシミリ装置における検証開始から２秒経過後の表示画面の一例を示す図である。
【図２６】図２６は、動画で操作履歴の検証を行う第５の実施の形態のファクシミリ装置における検証開始から３秒経過後の表示画面の一例を示す図である。
【図２７】図２７は、第６の実施の形態のファクシミリ装置において、操作履歴の検証の際に、ユーザの入力操作位置を表示した表示画面の一例を示す図である。
【図２８】図２８は、第６の実施の形態のファクシミリ装置に設けられている、ユーザの入力操作位置を示す操作位置情報が記憶された操作記録テーブルの模式図である。
【発明を実施するための形態】
【００１０】
（概要）
まず、図１を用いて実施の形態のファクシミリ装置の概要を説明する。図１は、実施の形態のファクシミリ装置１から正しい送信先Ａのファクシミリ装置２に送信したつもりが、誤って誤送信先Ｂのファクシミリ装置３に送信された例を示している。すなわち、ファクシミリ装置１から誤送信先Ｂのファクシミリ装置３に対して誤ってファクシミリ送信がされた場合、誤送信先Ｂのファクシミリ装置３から、実施の形態のファクシミリ装置１に対してファクシミリが送り返され、誤送信が通知される。実施の形態のファクシミリ装置１は、誤送信先Ｂのファクシミリ装置３から返信された情報に基づいて、誤送信した宛先の入力操作の正否を検証可能となっている。
【００１１】
（第１の実施の形態）
（ハードウェア構成）
図２は、第１の実施の形態のファクシミリ装置１のハードウェア構成を説明するためのブロック図である。ファクシミリ装置１は、ファクシミリ通信部１１、中央演算処理部（ＣＰＵ）１２、スキャナ部１３、プロッタ部１４、タッチパネル１５、ＲＯＭ（Read  Only  Memory）１６、不揮発性メモリ１７、及び、ＲＡＭ（Random  Access  Memory）１８を有している。
【００１２】
ＣＰＵ１２と各部は、バスラインを介して相互に接続されている。ＣＰＵ１２は、バスラインを介して接続された各部を制御する。タッチパネル１５は、一例ではあるが、ＬＣＤ（Liquid  Crystal  Display）又は有機ＥＬ（Electro  Luminescence）等の表示部材上に、透明電極等で形成された静電容量型の近接センサ等を一体的に設けて形成されている。タッチパネル１５には、例えばメッセージ又はアイコン等を表示することで、ユーザにファクシミリ装置１の状態又は各種情報を通知する。また、ユーザは、タッチパネル１５を接触操作するとで、所望の入力を行う。
【００１３】
ＲＯＭ１６には、例えばＯＳ（Operating  System）のプログラム、ファクシミリ装置を動作させるためのファクシミリ制御プログラム、タッチパネル操作部に表示する文字列データ等の、ユーザによって変更されることのないデータが記憶されている。不揮発メモリ１７は、ユーザによっても変更可能なデータが記憶される。不揮発性メモリ１７は、電源供給が停止しても、記憶したデータを保持する。ＲＡＭ１８は、ユーザによっても変更可能なデータが記憶される。ＲＡＭ１８に記憶されているデータは、ＲＡＭ１８に対する電源供給が停止した際に、ＲＡＭ１８から揮発する（消去される）。
【００１４】
スキャナ部１３は、原稿台に載置された原稿を光学的に読み取り、電気信号である画像データに変換する。プロッタ部１４は、他のファクシミリ装置から受信した画像データ等を用紙に印刷して出力する。ファクシミリ通信部１１は、公衆回線を介して他のファクシミリ装置との間のファクシミリ通信を行う。
【００１５】
（各種データの記憶領域）
図３は、不揮発性メモリ１７及びＲＡＭ１８に設けられている各種データの記憶領域を示す図である。不揮発性メモリ１７には、操作記録テーブル２１、送信画像テーブル２２、送信履歴テーブル２３、アドレス帳記憶領域２４、送信画像記憶領域２５及び受信履歴テーブル２６の各記憶領域が設けられている。なお、「テーブル」は、不揮発性メモリ１７内の所定容量の記憶領域を示す文言である。
【００１６】
操作記録テーブル２１には、ユーザが宛先入力時に操作した操作ボタン及び操作位置等の操作情報が記録される。図４は、操作記録テーブル２１に記憶されている操作情報の一例を示す図である。この図４に示すように、操作記録テーブル２１には、ユーザによりタッチパネル１５を介して宛先入力操作が行われた日時を示すに日時情報、操作されたボタンを示す操作ボタン情報、及び、ファクシミリ送信毎に割り当てられるジョブ番号（ジョブＮｏ）を示す情報が記憶される。
【００１７】
図４の例は、１月１日の午前９時５８分３０秒〜１月１日の午前９時５９分１０秒の間に行われた操作に対して、「０００１」のジョブ番号が割り当てられた例を示している。また、図４の例は、１月１日の午前９時５８分３０秒に操作された操作ボタンは、「１」の操作ボタンであることを示す操作情報が、操作記録テーブル２１に記憶された例を示している。同様に、図４の例は、１月１日の午前９時５８分３２秒に操作された操作ボタンは、「２」の操作ボタンであることを示す操作情報が、操作記録テーブル２１に記憶された例を示している。同様に、図４の例は、１月１日の午前９時５８分３４秒に操作された操作ボタンは、「４」の操作ボタンであることを示す操作情報が、操作記録テーブル２１に記憶された例を示している。同様に、図４の例は、１月１日の午前９時５８分３７秒に操作された操作ボタンは、１回操作される毎に、直前の操作から順に操作の取り消し処理を行う「クリア」の操作ボタンであることを示す操作情報が、操作記録テーブル２１に記憶された例を示している。そして、図４の例は、１月１日の午前９時５９分１０秒に操作された操作ボタンは、ファクシミリ送信の開始を指定するための「スタート」の操作ボタンであることを示す操作情報が、操作記録テーブル２１に記憶された例を示している。
【００１８】
次に、送信画像テーブル２２には、送信ジョブのジョブ番号及び送信画像（画像ファイル名）が関連付けられて記憶されている。図５は、送信画像テーブル２２に記憶されている送信画像情報の一例を示す図である。この図５の例の場合、「０００１」のジョブ番号に対して、「Ａ０００１」のファイル名が付されたＴＩＦＦ（Tagged  Image  File  Format）フォーマットの画像データが記憶された例を示している。なお、ＴＩＦＦ（Tagged  Image  File  Format）フォーマットの画像データの拡張子は、「ｔｉｆ」となっている。また、図５の例の場合、「０００２」のジョブ番号に対して、「Ａ０００２」のファイル名が付されたＴＩＦＦフォーマットの画像データが記憶された例を示している。このように、送信ジョブのジョブ番号及び送信画像（画像ファイル名）を関連付けて記憶することで、ファクシミリ送信後において、送信画像から送信ジョブを特定可能となっている。
【００１９】
次に、送信履歴テーブル２３には、ファクシミリ送信結果を示す送信結果情報が記憶される。図６に、送信履歴テーブル２３に記憶されている送信結果情報の一例を示す。この図６に示すように、送信結果情報としては、送信日時、送信先、送信結果、及び、ジョブ番号を示す情報が、それぞれ関連付けられて送信履歴テーブル２３に記憶される。図６の例は、１月１日午前１０時００分００秒に、送信先１２３に対して行われた「０００１」のジョブ番号のファクシミリ送信は、送信エラーを発生することなく良好に完了したこと（送信結果：完了）を示している。同様に、図６の例は、１月２日午後１２時２２分１０秒に、送信先４５６に対して行われた「０００２」のジョブ番号のファクシミリ送信は、送信エラーを発生することなく良好に完了したこと（送信結果：完了）を示している。
【００２０】
次に、アドレス帳記憶領域２４には、一回の入力操作で入力完了を希望するファクシミリ番号であるワンタッチ宛先情報が記憶されている。各ワンタッチ宛先情報は、それぞれ異なるワンタッチボタンに割り当てられている。アドレス帳記憶領域２４には、ワンタッチボタン及びワンタッチ宛先情報が関連付けられて記憶されている。
【００２１】
次に、送信画像記憶領域２５には、ファクシミリ送信された画像の画像データが記憶されている。具体的には、画像データには、例えば「Ａ０００１」又は「Ａ０００２」等のファイル名に「ｔｉｆ」等の画像データの拡張子が付加されて送信画像記憶領域２５に記憶されている。図５に示した送信画像テーブル２２に記憶されている「Ａ０００１」等のファイル名は、この送信画像記憶領域２５に記憶された画像データのファイル名を示している。
【００２２】
次に、受信履歴テーブル２６には、他のファクシミリ装置との間の受信結果を示す受信結果情報が記憶されている。図７に、受信履歴テーブル２６に記憶された受信結果情報の一例を示す。この図７に示す例は、ファクシミリ送信を行ったユーザである「７７７」の受信元から送信されたファクシミリ通信が、１月２日午前１１時３３分５４秒に、通信エラーを生ずることなく良好（受信結果：完了）に完了した例を示している。同様に、図７に示す例は、ファクシミリ送信を行ったユーザである「１２３」の受信元から送信されたファクシミリ通信が、１月３日午後１８時４５分１１秒に、通信エラーを生ずることなく良好（受信結果：完了）に完了した例を示している。
【００２３】
次に、ＲＡＭ１８には、一時操作記録テーブル２７及び送信宛先リスト記憶領域２８が設けられている。ＲＡＭ１８の一時操作記録テーブル２７には、送信開始前に入力操作された操作ボタン又は操作位置を示す操作ボタン情報が記憶されている。図８に、一時操作記録テーブル２７に記憶された操作ボタン情報の一例を示す。この図８の例は、１月１日午前９時５８分３０秒に「１」の操作ボタンが操作され、続いて、１月１日午前９時５８分３１秒に「２」の操作ボタンが操作された例を示している。この図８からわかるように、操作ボタンが操作される毎に、操作されたボタンを示す操作ボタン情報をＲＡＭ１８に記憶される。そして、ユーザがファクシミリ送信のスタートボタンを操作したタイミングで操作記録テーブル２１に転送され、ジョブ番号に関連付けられて操作記録テーブル２１に記憶される（図４参照）。
【００２４】
次に、ＲＡＭ１８の送信宛先リスト記憶領域２８には、ファクシミリ送信が行われた宛先の宛先情報が記憶される。ユーザにより、ファクシミリ送信のスタート操作がされると、このファクシミリ送信の宛先のファクシミリ番号及び宛先名等の宛先情報が送信宛先リスト記憶領域２８に記憶される。
【００２５】
（ファクシミリ制御プログラムに基づく機能）
次に、図９に、ＣＰＵ１２がＲＯＭ１６に記憶されているファクシミリ制御プログラムを実行することで実現される各機能の機能ブロック図を示す。この図９に示すように、ＣＰＵ１２は、ファクシミリ制御プログラムを実行することで、宛先入力制御部３０、第１のジョブ特定部３１、第２のジョブ特定部３２、送信制御部３３、受信制御部３４、及び、表示制御部３５の各機能を実現する。宛先入力制御部３０は、記憶制御部の一例である。第１のジョブ特定部３１及び第２のジョブ特定部３２は、検索部の一例である。
【００２６】
宛先入力制御部３０は、ユーザによりタッチパネル１５を介して入力操作されたファクシミリ番号等をタッチパネル１５に順次表示する。また、宛先入力制御部３０は、ファクシミリ送信のスタート操作がされた際に、一連のファクシミリ番号を、以下に説明する送信制御部３３に通知する。これにより、ユーザにより入力されたファクシミリ番号に対するファクシミリ送信がされる。また、宛先入力制御部３０は、ファクシミリ送信のスタート操作がされた際に、ユーザにより入力されたファクシミリ番号等をＲＡＭ１８の送信宛先リスト記憶領域２８に記憶制御する。
【００２７】
第１のジョブ特定部３１は、誤送信が発生した原稿の画像と類似した画像を、例えば画像マッチング処理により、送信画像テーブル２２（図５参照）から特定すると共に、特定した画像に基づいて送信画像テーブル２２を参照することで、誤送信となった送信ジョブのジョブ番号を特定する。
【００２８】
第２のジョブ特定部３２は、誤送信が発生した際に、受信履歴テーブル２６から、最近受信したファクシミリ送信の受信元を特定すると共に、特定した受信元に対する送信履歴を送信履歴テーブル２３から検出して送信ジョブのジョブ番号を特定する。
【００２９】
送信制御部３３は、スキャナ部１３で読み取られた画像を、宛先入力制御部３０から指定されたファクシミリ番号の宛先に送信するように、ファクシミリ通信部１１を制御する。また、送信制御部３３は、ファクシミリ送信が完了した際に、送信先、送信結果（完了／エラー）及びジョブ番号等の送信結果情報を、送信履歴テーブル２３に記憶する。
【００３０】
受信制御部３４は、他のファクシミリ装置から公衆回線を介して受信したファクシミリ通信の受信元及び受信結果等の受信結果情報を受信履歴テーブル２６に記憶する。
【００３１】
表示制御部３５は、送信ジョブの宛先をユーザが入力した時の操作記録をタッチパネル１５に表示する。また、表示制御部３５は、操作記録テーブル１７から、指定の送信ジョブに関する記録を抽出し、図８に示す一時操作記録テーブル２７に記憶させる。また、表示制御部３５は、一時操作記録テーブル２７の記録内容を、タッチパネル１５に一覧表示する。
【００３２】
また、表示制御部３５は、操作記録テーブル２１に記憶された操作日時及び操作内容（操作されたボタン及びタッチパネル１５上の操作位置等）をタッチパネル１５に表示する。また、表示制御部３５は、操作記録テーブル２１に記憶された操作日時及び操作内容（操作されたボタン及びタッチパネル１５上の操作位置等）に基づいて、実際に操作されたタイミングで実際の操作内容を再現して動画でタッチパネル１５に表示する。
【００３３】
また、表示制御部３５は、送信履歴テーブル２３に記録された送信結果を、タッチパネル１５に表示する。また、表示制御部３５は、各宛先への送信結果に対する「操作確認ボタン」をタッチパネル１５に表示する。表示制御部３５は、ユーザに操作された「操作確認ボタン」に対応する宛先に対してファクシミリ送信を行った際に、ユーザが行った宛先入力操作の操作確認画面を表示する。
【００３４】
なお、この例では、宛先入力制御部３０〜表示制御部３５をソフトウェアで実現することとしたが、宛先入力制御部３０〜表示制御部３５のうち、一部又は全部を、ＩＣ（Integrated  Circuit）等のハードウェアで実現してもよい。
【００３５】
また、宛先入力制御部３０〜表示制御部３５の各機能をＣＰＵ１２に実現させるファクシミリ制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリなどのコンピュータ装置で読み取り可能な記録媒体に記録して提供してもよい。また、ファクシミリ制御プログラムは、インターネット等のネットワーク経由でインストールするかたちで提供してもよい。また、ファクシミリ制御プログラムは、機器内のＲＯＭ等に予め組み込んで提供してもよい。
【００３６】
（ファクシミリ送信動作）
次に、このような構成を有する第１の実施の形態のファクシミリ装置のファクシミリ送信動作を、図１０のフローチャートを用いて説明する。この図１０のフローチャートにおいて、まず、宛先入力制御部３０は、ＲＡＭ１８の送信宛先リスト記憶領域２８に記憶されている情報をクリア（消去）すると共に（ステップＳ１）、一時操作記録テーブル２７をクリアする（ステップＳ３）。また、表示制御部３５は、タッチパネル１５の宛先入力画面を更新制御する（ステップＳ２）。これにより、ユーザの宛先入力のためのボタン操作待ちの状態となる（ステップＳ４）。
【００３７】
次に、ユーザによりタッチパネル１５（又はハードウェアキーでもよい）に表示されている、例えばテンキー、クリアキー、ワンタッチ宛先ボタン等の宛先入力に関するボタンが操作されると、宛先入力制御部３０は、ユーザにより操作されたボタンを示す情報及び操作時刻を示す情報を関連づけた操作ボタン情報を、図８に示した一時操作記録テーブル２７に記憶する（ステップＳ５）。
【００３８】
具体的には、例えばタッチパネル１５上の「１」のテンキーが操作された場合、宛先入力制御部３０は、一時操作記録テーブル２７に対して「１」のテンキーを示す情報に、操作時刻情報を関連付けた操作ボタン情報を記憶する。この際、一時操作記録テーブル２７に、既に「２」の操作ボタン情報が記憶済みである場合（先に「２」が入力済みの場合）、一時操作記録テーブル２７には「２１」の操作ボタン情報が記憶される。また、宛先入力制御部３０は、クリアキーの操作を１回検出する毎に、クリアキーが操作される前に行われた操作を順次取り消し制御する。例えば、上述のように「１」、「２」の順にテンキーが操作された場合、クリアキーの操作を１回検出すると、宛先入力制御部３０は、「２」の操作ボタン情報を一時操作記録テーブル２７から消去し、再度、クリアキーの操作を１回検出すると、「１」の操作ボタン情報を一時操作記録テーブル２７から消去する。すなわち、クリアキーが１回操作される毎に、一時操作記録テーブル２７の宛先のファクシミリ番号の末尾から１桁ずつクリアされる。
【００３９】
また、ワンタッチ宛先キーが操作された場合、宛先入力制御部３０は、ワンタッチ宛先キーに、事前に割り当てられて登録されている宛先内容（ファクシミリ番号等）を一時操作記録テーブル２７に記憶する。例えば、ワンタッチ宛先キーに対して「１２３」の宛先内容が登録されていれば、「１２３」を一時操作記録テーブル２７に記憶する。
【００４０】
なお、ワンタッチ宛先キーが操作された際に、一時操作記録テーブル２７に対して、既に他の宛先が入力済みの場合、宛先入力制御部３０は、ワンタッチ宛先キーに対応する宛先を、入力済みの宛先とは別の宛先として一時操作記録テーブル２７に記憶する。すなわち、一時操作記録テーブル２７に「１２３」が入力済みの状態で、「４５６」の宛先が割り当てられているワンタッチ宛先キーが操作された場合、宛先入力制御部３０は、「１２３」及び「４５６」の２つの宛先を一時操作記録テーブル２７に記憶する。
【００４１】
次に、ステップＳ６では、宛先入力制御部３０が、リセットボタンの操作の有無を判別する。宛先入力制御部３０により、リセットボタンの操作が検出された場合は（ステップＳ６：Ｙｅｓ）、処理がステップＳ１に戻り、再度、上述のステップＳ１〜ステップＳ６の処理が実行される。
【００４２】
これに対して、リセットボタンの操作が検出されなかった場合は（ステップＳ６：Ｎｏ）、処理がステップＳ７に進み、宛先入力制御部３０により、スタートボタンの操作の有無が判別される。スタートボタンの操作が検出されない場合（ステップＳ７：Ｎｏ）、宛先入力制御部３０は、送信宛先リスト記憶領域２８に記憶されている送信宛先リストを更新する（ステップＳ１４）。また、表示制御部３５は、タッチパネル１５の宛先入力画面を更新制御する（ステップＳ１５）。この後、ステップＳ４に処理が戻り、ユーザの宛先入力のためのボタン操作待ちの状態となる。
【００４３】
一方、スタートボタンの操作が検出された場合（ステップＳ７：Ｙｅｓ）、宛先入力制御部３０は、これから行うファクシミリ送信ジョブのジョブ番号を決定する（ステップＳ８）。また、宛先入力制御部３０は、ステップＳ９において、一時操作記録テーブル２７に一時的に記憶されている操作ボタン情報を、不揮発性メモリ１７の操作記録テーブル２１に書き込む（転記する）（ステップＳ９）。
【００４４】
次に、宛先入力制御部３０は、ファクシミリ送信する原稿の読み込みを行うように、スキャナ部１３を制御する（ステップＳ１０）。そして、宛先入力制御部３０は、スキャナ部１３により読み取られた原稿の画像情報にファイル名を付して送信画像領域２５に記憶すると共に、原稿の画像情報のファイル名とジョブ番号とを関連付けた送信画像情報を、送信画像テーブル２２に記憶する（ステップＳ１１）。すなわち、送信画像領域２５には、原稿の画像情報そのものが記憶され、送信画像テーブル２２には、画像情報を記憶されず、画像情報のファイル名及びジョブ番号を関連付けた送信画像情報が記憶される。
【００４５】
次に、送信制御部３３は、原稿の画像情報を、入力された宛先に対してファクシミリ送信するように、ファクシミリ通信部１１を制御する（ステップＳ１２）。また、送信制御部３３は、ファクシミリ送信が完了した際に、図６を用いて説明したように、送信日時、送信先、送信結果（完了／エラー）及びジョブ番号を関連付けた送信結果情報を、送信履歴テーブル２３に記憶する（ステップＳ１３）。送信制御部３３は、このようなステップＳ１２及びステップＳ１３の処理を、入力された宛先に対するファクシミリ送信が完了するまで繰り返し実行する。
【００４６】
（誤送信が発生した入力操作の検証動作）
ここで、所望の宛先とは異なる宛先に対してファクシミリ送信を行う誤送信が発生した場合、誤送信先から誤送信の連絡としてファクシミリ送信した画像情報が返信されることがある。これにより、ユーザは、誤送信に気づくこととなる。第１の実施の形態のファクシミリ装置は、誤送信が発生することとなった入力操作は、以下のように検証可能となっている。
【００４７】
誤送信が発生した入力操作の検証を行う場合、ユーザは、図１２に示すようにタッチパネル１５に表示されている操作画面の宛先入力操作確認ボタンのうち、送信画像ボタン３７又は直前受信ボタン４０を操作する。
【００４８】
（送信画像に基づく検証動作）
図１１は、送信画像ボタン３７が操作された際に、ＣＰＵ１２がファクシミリ制御プログラムに基づいて実行する入力検証動作の流れを示すフローチャートである。送信画像ボタン３７が操作されると、図９に示す表示制御部３５は、例えば図１３に示すように「宛先入力操作を確認したいジョブの原稿をセットしてスタートを押下してください」等の、誤送信が生じた原稿の再読み取りを促すメッセージと共に、スタートボタン３８及びキャンセルボタン３９をタッチパネル１５に表示する。
【００４９】
ユーザは、誤送信となった原稿をスキャナ部１３にセットして、スタートボタン３８を操作する。これにより、図１１のフローチャートのステップＳ２１において、誤送信となった原稿の再読み込みが行われる。
【００５０】
次に、ステップＳ２２では、第１のジョブ特定部３１が、再読み込みされた原稿の画像と、送信画像記憶領域２５に記憶されている送信済みの各画像とを、例えば画像マッチング処理等により比較する。そして、第１のジョブ特定部３１は、ステップＳ２３において、再読み込みされた原稿の画像に類似する送信済みの画像が存在するか否かを判別する。再読み込みされた原稿の画像に類似する送信済みの画像が存在する場合、第１のジョブ特定部３１は、ステップＳ２４において、類似する画像のファイル名に基づいて図５に示す送信画像テーブル２２を参照することでジョブ番号を検出し、表示制御部３５に通知する。
【００５１】
表示制御部３５は、通知されたジョブ番号に対応する入力操作の履歴を図４に示した操作記録テーブル２１から検出し、宛先入力操作確認画面としてタッチパネル１５に表示する。図１４は、送信画像に基づく検証結果となる宛先入力操作確認画面の表示例である。この図１４は、図４に示すジョブ番号「０００１」に対応する入力操作の履歴が表示された例である。すなわち、ジョブ番号「０００１」に対応する入力操作の例は、「１」→「２」→「４」→「クリア」→「３」→「スタート」の順に各ボタンの操作が行われた例である。第１の実施の形態のファクシミリ装置の場合、表示制御部３５は、この図１４に示すようにジョブ番号に対応する操作履歴をテキスト表示する（文字で表示する）。
【００５２】
ユーザは、このように時系列に沿って（操作時刻の順に）、操作された各ボタンを示す情報を見ることで、誤送信の要因となった入力ミス及び入力ミスの発生時刻を、入力操作順に沿って検証できる。すなわち、宛先入力時の操作内容が、ユーザの意図した操作と異なっていれば、ユーザの宛先入力時の操作ミスを認識することができる。また、実際に送信した宛先と、宛先入力時の操作内容に相違があれば、通信環境の問題で入力した宛先と異なる宛先に送信されたことを認識できる。
【００５３】
（受信履歴に基づく検証動作）
次に、第１の実施の形態のファクシミリ装置は、誤送信先から返信されたファクシミリ通信の受信履歴に基づいて誤送信の検証を行うことが可能となっている。この場合、ユーザは、図１２に示す直前受信ボタン４０を操作する。図１５は、直前受信ボタン４０が操作された際に、ＣＰＵ１２がファクシミリ制御プログラムに基づいて実行する入力検証動作の流れを示すフローチャートである。直前受信ボタン４０が操作されると、図９に示す第２のジョブ特定部３２は、図３及び図７に示す受信履歴テーブル２６から最新の受信結果情報を取得する。
【００５４】
受信結果情報には、図７に示したようにファクシミリ送信を行ったユーザ（受信元）を示す情報が含まれている。このため、第２のジョブ特定部３２は、受信元を示す情報に基づいて、図６に示す送信履歴テーブル２３を参照し、受信元を送信先とする送信ジョブのうち、最新の送信ジョブを検出する。そして、第２のジョブ特定部３２は、ステップＳ３２において、受信元に一致する最新の送信先（宛先）が送信履歴テーブル２３から検出されたか否かを判別する。
【００５５】
受信元に一致する最新の送信先（宛先）が送信履歴テーブル２３から検出されなかった場合（ステップＳ３２：Ｎｏ）、第２のジョブ特定部３２は、ステップＳ３４において、受信元に一致する送信先（宛先）は存在しないことを示す情報を表示制御部３５に通知する。表示制御部３５は、この通知を受信すると、例えば「Ｎｏｔ  Ｆｏｕｎｄ」等の、受信元に一致する送信先（宛先）は存在しないことを示すメッセージをタッチパネル１５に表示する。この場合ユーザは、送信画像ボタン３７を操作して、上述の「送信画像に基づく検証」等に検証手法を切り替える等の措置を行う。
【００５６】
これに対して、受信元に一致する最新の送信先（宛先）が送信履歴テーブル２３から検出された場合（ステップＳ３２：Ｙｅｓ）、第２のジョブ特定部３２は、ステップＳ３３において、受信元に一致する最新の送信先（宛先）のジョブ番号の送信ジョブを、誤送信が発生した送信ジョブとして特定する。そして、第２のジョブ特定部３２は、特定した送信ジョブのジョブ番号を、表示制御部３５に通知する。表示制御部３５は、通知されたジョブ番号に対応する操作履歴を、図４に示した操作記録テーブル２１から読み出し、タッチパネル１５に表示する。
【００５７】
図１６は、受信履歴に基づく検証結果となる、宛先入力操作確認画面の表示例である。この図１６は、図４に示すジョブ番号「０００１」に対応する入力操作の履歴が表示された例である。すなわち、ジョブ番号「０００１」に対応する入力操作の例は、「１」→「２」→「４」→「クリア」→「３」→「スタート」の順に各ボタンの操作が行われた例である。
【００５８】
ユーザは、このように時系列に沿って（操作時刻の順に）、操作された各ボタンを示す情報を見ることで、誤送信の要因となった入力ミス及び入力ミスの発生時刻を、入力操作順に沿って検証できる。すなわち、宛先入力時の操作内容が、ユーザの意図した操作と異なっていれば、ユーザの宛先入力時の操作ミスを認識することができる。また、実際に送信した宛先と、宛先入力時の操作内容に相違があれば、通信環境の問題で入力した宛先と異なる宛先に送信されたことを認識できる。
【００５９】
このように第１の実施の形態のファクシミリ装置は、誤送信の発生原因を詳細に検証することができる。このため、誤送信の防止に貢献できる。
【００６０】
（第２の実施の形態）
次に、第２の実施の形態のファクシミリ装置の説明をする。この第２の実施の形態のファクシミリ装置は、ユーザが送信結果を見て誤送信に気づいた際に、上述の誤送信の検証を行えるようにした例である。なお、上述の第１の実施の形態と以下に説明する第２の実施の形態とでは、この点のみが異なる。このため、以下、両者の差異の部分の説明のみ行い、重複説明は省略する。
【００６１】
すなわち、第２の実施の形態のファクシミリ装置の場合、送信済みの送信ジョブの送信結果を確認する場合、ユーザは、図１２に示す送信結果ボタン５１を操作する。この送信結果ボタン５１が操作されると、図９に示す表示制御部３５は、図６に示した送信履歴テーブル２３を表示する。この際、表示制御部３５は、図１７に示すように各ジョブ番号の送信ジョブに対応する入力操作の検証を指定する操作確認ボタン５２を、送信ジョブ毎に表示する。
【００６２】
ユーザは、誤送信が生じた送信ジョブに対応する操作確認ボタン５２を操作する。表示制御部３５は、ユーザにより操作された操作確認ボタン５２に対応するジョブ番号の送信ジョブの操作履歴を、図４に示す操作記録テーブルから読み出し、タッチパネル１５に表示する。
【００６３】
図１８は、操作確認ボタン５２が操作された送信ジョブに対応する宛先入力操作確認画面の表示例である。この図１８は、図４に示すジョブ番号「０００１」に対応する入力操作の履歴が表示された例である。すなわち、ジョブ番号「０００１」に対応する入力操作の例は、「１」→「２」→「４」→「クリア」→「３」→「スタート」の順に各ボタンの操作が行われた例である。
【００６４】
第２の実施の形態のファクシミリ装置は、ユーザが、このように時系列に沿って（操作時刻の順に）、操作された各ボタンを示す情報を見ることで、誤送信の要因となった入力ミス及び入力ミスの発生時刻を、入力操作順に沿って検証できる等、上述と同様の効果を得ることができる。
【００６５】
（第３の実施の形態）
次に、第３の実施の形態のファクシミリ装置の説明をする。この第３の実施の形態のファクシミリ装置は、ワンタッチボタンが操作された場合、操作履歴としてワンタッチボタンに割り当てられているファクシミリ番号（宛先内容）も表示するようにした例である。なお、ワンタッチボタンは、図１２において、宛先Ａ〜宛先Ｈの文字が表記されたボタンである。また、上述の各実施の形態と以下に説明する第３の実施の形態とでは、この点のみが異なる。このため、以下、両者の差異の部分の説明のみ行い、重複説明は省略する。
【００６６】
すなわち、この第３の実施の形態のファクシミリ装置の場合、ファクシミリ送信の際に、ユーザによりワンタッチボタンが操作されると、宛先入力制御部３０は、図２０に示すように、操作されたワンタッチボタンを示す情報と共に、操作されたワンタッチボタンに割り当てられているファクシミリ番号（宛先内容）を示す情報（短縮宛先情報の一例）を操作記録テーブル２１に記録する。この図２０の例は、ユーザが宛先を指定する際に、ワンタッチボタンＡに割り当てられている宛先及びワンタッチボタンＢに割り当てられている宛先を指定してファクシミリ送信を行った例である。この場合、「０００２」という同じジョブ番号に関連付けられて、ワンタッチボタンＡ及びワンタッチボタンＢの宛先内容が、操作記録テーブル２１に記録される。
【００６７】
表示制御部３５は、このような操作記録テーブル２１から各情報を読み出し、図１９に示すように操作履歴を表示する。図１９の例の場合、ユーザは、ワンタッチボタンＡ及びワンタッチボタンＢの順にワンタッチボタンが操作され、「４５６」のファクシミリ番号の宛先、及び、「７８９」のファクシミリ番号の宛先の順にファクシミリ送信がされたことを認識することができる。
【００６８】
このような第３の実施の形態のファクシミリ装置は、ワンタッチボタンに割り当てられている宛先内容も検証履歴に含めて表示できるため、より詳細な入力操作の検証を行うことができる他、上述の各実施の形態と同様の効果を得ることができる。
【００６９】
（第４の実施の形態）
次に、第４の実施の形態のファクシミリ装置の説明をする。上述の各実施の形態のファクシミリ装置は、図１４等に示したようにテキスト的に操作履歴を表示する例であった。これに対して、第４の実施の形態のファクシミリ装置は、画像的（イメージ的）に操作履歴を表示する例である（画像表示）。なお、上述の各実施の形態と以下に説明する第４の実施の形態とでは、この点のみが異なる。このため、以下、両者の差異の部分の説明のみ行い、重複説明は省略する。
【００７０】
すなわち、この第４の実施の形態のファクシミリ装置の場合、表示制御部３５は、タッチパネル１５に対して図２１に示すように、送信済みのファクシミリ通信のイメージ的な入力操作の検証を指定するための第１〜第４のイメージ操作ボタン６１〜６４を表示する。第１のイメージ操作ボタン６１は、同じジョブ番号が割り当てられた一連の入力操作を、所定時間置き又は第１のイメージ操作ボタン６１が１回操作される毎に、時系列に沿って一つずつ検証する際に操作されるボタンである。第２のイメージ操作ボタン６２は、検証する送信ジョブを、現在のジョブ番号の送信ジョブから次のジョブ番号の送信ジョブに移行（ジャンプ）する際に操作されるボタンである。第２のイメージ操作ボタン６２が１回操作される毎に、検証するジョブ番号が一つずつ繰り上がる。
【００７１】
第３のイメージ操作ボタン６３は、同じジョブ番号が割り当てられた一連の入力操作を、所定時間置き又は第３のイメージ操作ボタン６３が１回操作される毎に、時系列を遡って一つずつ検証する際に操作されるボタンである。第４のイメージ操作ボタン６４は、検証する送信ジョブを、現在のジョブ番号の送信ジョブよりも一つ前のジョブ番号の送信ジョブに移行（ジャンプ）する際に操作されるボタンである。第４のイメージ操作ボタン６４が１回操作される毎に、検証するジョブ番号が一つずつ繰り下がる。
【００７２】
このような第４の実施の形態のファクシミリ装置の場合、第１の実施の形態で説明したように、第１のジョブ特定部３１により送信画像に基づいて特定された送信ジョブのジョブ番号が通知されると、表示制御部３５は、この通知されたジョブ番号を、図２１に示す表示窓部６６に表示する。または、第１の実施の形態で説明したように、第２のジョブ特定部３２により受信履歴に基づいて特定された送信ジョブのジョブ番号が通知されると、表示制御部３５は、この通知されたジョブ番号を表示窓部６６に表示する。
【００７３】
或いは、第４の実施の形態のファクシミリ装置において、画像的（イメージ的）に操作履歴を検証する場合、ユーザは、第２のイメージ操作ボタン６２を１回操作する。表示制御部３５は、第２のイメージ操作ボタン６２が１回操作されると、デフォルト表示として、操作記録テーブルに記録されているジョブ番号のうち、先頭のジョブ番号となる「０００１」のジョブ番号を、タッチパネル１５の表示窓部６６に表示する。
【００７４】
なお、検証する送信ジョブを変更する場合、ユーザは、第２のイメージ操作ボタン６２又は第４のイメージ操作ボタン６４を操作する。表示制御部３５は、第２のイメージ操作ボタン６２が１回操作される毎に、表示窓部６６に表示しているジョブ番号を「０００１」→「０００２」→「０００３」・・・等のようにインクリメントして表示する。また、表示制御部３５は、第４のイメージ操作ボタン６４が１回操作される毎に、表示窓部６６に表示しているジョブ番号を「０００３」→「０００２」→「０００１」・・・等のようにデクリメントして表示する。
【００７５】
次に、表示窓部６６に、検証を行う送信ジョブのジョブ番号が表示されると、ユーザは、第１のイメージ操作ボタン６１を操作する。第１のイメージ操作ボタン６１が操作されると、表示制御部３５は、操作記録テーブル２１に記録されている操作履歴に従って、所定時間置き又はユーザにより第１のイメージ操作ボタン６１（又は第３のイメージ操作ボタン６３）が操作される毎に、ユーザが操作したボタン又は操作位置を画像的に示す表示を行う。
【００７６】
具体的には、図４に示す「０００１」のジョブ番号の操作履歴は、「１」→「２」→「４」・・・の順にボタン操作がされたことを示す操作履歴となっている。このため、表示制御部３５は、まず、図２１に斜線で示すように、テンキー６５のうち、「１」のボタンの表示形態を変更して表示する。表示形態の変更態様は任意であるが、例えば「輝度を変更する」、「表示色を変更する」、「模様又は枠を付加する」、「字体を変更する」等、他のボタンとの視覚的な差別化を可能とすることが好ましい。
【００７７】
このように「１」のボタンの表示形態を変更して表示すると、表示制御部３５は、所定の時間が経過したタイミング、又は、ユーザにより第１のイメージ操作ボタン６１が操作されたタイミングで、「１」の操作ボタンの表示形態を元の表示形態に戻す。そして、表示制御部３５は、図２２に斜線で示すように上述の操作履歴の次の操作に対応する「２」の操作ボタンの表示形態を変更する。
【００７８】
このように表示制御部３５は、操作履歴に従って、ユーザにより操作されたボタンを順に表示形態を変更して表示する。これにより、ユーザにより操作されたボタンの履歴を、順を追ってイメージ的に表示して検証可能とすることができ、より分かりやすく入力操作の検証を行うことができる他、上述の各実施の形態と同様の効果を得ることができる。
【００７９】
（第５の実施の形態）
次に、第５の実施の形態のファクシミリ装置の説明をする。この第５の実施の形態のファクシミリ装置は、ユーザに操作されたボタンを操作履歴に従って順に、動画表示する例である。なお、上述の各実施の形態と以下に説明する第５の実施の形態とでは、この点のみが異なる。このため、以下、両者の差異の部分の説明のみ行い、重複説明は省略する。
【００８０】
すなわち、この第５の実施の形態のファクシミリ装置の場合、表示制御部３５は、タッチパネル１５に対して図２３に示すように、操作履歴の動作表示を指定するための再生ボタン７１をタッチパネル１５に表示する。また、表示制御部３５は、図２３に示すように、長方形状のタッチパネル１５の下辺部近傍に、長手方向に沿ってシークバー８０を表示する。また、表示制御部３５は、図２３に示すように、再生位置（再生時刻）に応じてシークバー８０上を移動するスライダー８１を、シークバー８０上に表示する。
【００８１】
このような第５の実施の形態のファクシミリ装置において、第１の実施の形態で説明したように、第１のジョブ特定部３１により送信画像に基づいて特定された送信ジョブのジョブ番号が通知されると、表示制御部３５は、この通知されたジョブ番号を、図２３に示す表示窓部６６に表示する。または、第１の実施の形態で説明したように、第２のジョブ特定部３２により受信履歴に基づいて特定された送信ジョブのジョブ番号が通知されると、表示制御部３５は、この通知されたジョブ番号を表示窓部６６に表示する。
【００８２】
なお、動画検証を行う送信ジョブは、他のボタンで指定してもよいし、所定のボタン操作で動画検証を行う送信ジョブのジョブ番号を変更可能なことは、第４の実施の形態で説明したとおりである。詳しくは、第４の実施の形態の説明を参照されたい。
【００８３】
次に、検証を行う送信ジョブのジョブ番号が表示窓部６６に表示されると、ユーザは、再生ボタン７１を操作する。再生ボタン７１が操作されると、表示制御部３５は、操作記録テーブル２１に記録されている操作履歴で示される操作ボタンのテキスト情報を、図２４に示すように表示窓部６６に順次表示すると共に、操作履歴で示される操作ボタンの操作映像情報を例えば操作記録テーブル２１等の記憶部から読み出して、タッチパネル１５に表示する。
【００８４】
すなわち、例えば「１」のテンキーが操作された際の操作映像情報、及び、「クリアキー」が操作された際の操作映像情報等の、全ての操作ボタンの操作映像情報は、事前に上述の記憶部に記憶されている。表示制御部３５は、ジョブ番号に対応する操作履歴から、ユーザにより操作された操作ボタンを検出する。また、表示制御部３５は、ユーザにより操作された各操作ボタンの操作映像情報を記憶部から選択して読み出し、各操作映像情報を連結することで、操作履歴に沿った一連の操作映像情報を形成する。そして、表示制御部３５は、図２４〜図２６に示すように操作履歴に沿った操作ボタンを示す動作を再生する。
【００８５】
図２４は、再生開始直後の操作映像を示している。この図２４の例は、ユーザにより「１」の操作ボタンが操作されたことを、「１」の操作ボタンの表示形態を変更して示している。また、図２４は、全体の長さが４１秒の操作映像であり、現在、１秒目の操作映像が再生されていることを示している（０：０１／０：４１）。また、図２４は、現在、再生中の映像の再生時刻である１秒目の再生位置にスライダー８１が移動表示された例を示している。なお、操作映像の再生を開始すると、表示制御部３５は、再生ボタン７１の表示形態を、一時停止を指定するための一時停止ボタンの表示形態に変更して表示する。
【００８６】
図２５は、ユーザにより「１」の操作ボタンが操作されてから１秒が経過した時刻の操作映像を示している。この図２５の例は、全体の長さが４１秒の操作映像中、現在、２秒目の操作映像が再生されていることを示している（０：０２／０：４１）。また、図２５は、現在、再生中の映像の再生時刻である２秒目の再生位置にスライダー８１が移動表示された例を示している。
【００８７】
図２６の例は、ユーザにより「２」の操作ボタンが操作されたことを、「２」の操作ボタンの表示形態を変更して示している。また、図２６は、全体の長さが４１秒の操作映像であり、現在、３秒目の操作映像が再生されていることを示している（０：０３／０：４１）。また、図２６は、現在、再生中の映像の再生時刻である３秒目の再生位置にスライダー８１が移動表示された例を示している。
【００８８】
このように操作履歴を動画で表示することで、より明確に操作履歴を認識することができ、詳細な操作履歴の検証を行うことができる他、上述の実施の形態と同様の効果を得ることができる。
【００８９】
（第６の実施の形態）
次に、第６の実施の形態のファクシミリ装置の説明をする。この第６の実施の形態のファクシミリ装置は、図４に示した操作記録テーブル２１に、タッチパネル１５上の操作位置（２次元座標位置又は画素位置）を示す情報を記憶しておき、操作履歴の検証時に表示するようにした例である。なお、上述の各実施の形態と以下に説明する第６の実施の形態とでは、この点のみが異なる。このため、以下、両者の差異の部分の説明のみ行い、重複説明は省略する。
【００９０】
すなわち、この第６の実施の形態のファクシミリ装置の場合、宛先入力制御部３０は、タッチパネル１５から供給されたタッチパネル１５上の操作位置を示す操作位置情報（２次元座標位置情報又は画素位置情報）を、図２８に示すように操作記録テーブル２１に記憶する。図２８の例は、１月１日午前９時５８分３０秒〜１月１日午前９時５９分１０秒の間に行われたユーザのボタン操作に対して、「０００１」のジョブ番号が割り当てられており、この間に、「１」→「２」→「スタート」の順に各ボタンが操作されたことを示している。また、「１」のボタン操作にあたって「４０１、３３」の操作位置が接触操作され、「２」のボタン操作にあたって「４１２、３４」の操作位置が接触操作され、「スタート」のボタン操作にあたって「４５６、７８」の操作位置が接触操作されたことを示している。
【００９１】
また、図２８の例は、１月２日午後１２時２０分３３秒〜１月２日午後１２時２１分２秒の間に行われたユーザのボタン操作に対して、「０００２」のジョブ番号が割り当てられており、この間に、「ワンタッチＡ」→「ワンタッチＢ」→「スタート」の順に各ボタンが操作されたことを示している。また、「ワンタッチＡ」のボタン操作にあたって「８２、６５」の操作位置が接触操作され、「ワンタッチＢ」のボタン操作にあたって「９６、６８」の操作位置が接触操作され、「スタート」のボタン操作にあたって「４４３、８１」の操作位置が接触操作されたことを示している。
【００９２】
表示制御部３５は、上述の第４の実施の形態で説明した画像的（イメージ的）に操作履歴の検証を行う際、又は、上述の第５の実施の形態で説明した動画で操作履歴の検証を行う際に、操作記録テーブル２１に記録されている操作位置情報に基づいて、タッチパネル１５上の操作位置をアイコン等で表示する。
【００９３】
図２７は、上述の第４の実施の形態で説明した画像的（イメージ的）に操作履歴の検証を行う際、タッチパネル１５上の操作位置を表示した例である。この例の場合、表示制御部３５は、「×」のアイコンで、「１」のボタン操作時のユーザの操作位置を示している。この図２７の例の場合、「１」のボタンよりも、やや右上の位置をユーザが操作したことがわかる。
【００９４】
また、上述の第５の実施の形態で説明した動画で操作履歴の検証を行う場合、表示制御部３５は、ユーザの操作位置を示すアイコンを、上述の操作位置情報に基づいて、上述の操作履歴に沿った一連の操作映像情報にインサートして表示する。これにより、ユーザの操作位置を映像上でも示すことができる。
【００９５】
このように画像的（イメージ的）又は映像的に操作位置を表示することで、より詳細かつ正確に操作履歴の検証を可能として、誤送信の防止に大きく貢献できる他、上述の各実施の形態と同様の効果を得ることができる。
【００９６】
（各実施の形態の変形例）
上述の各実施の形態は、一例として提示したものであり、本発明の範囲を限定することは意図していない。この新規な実施の形態は、その他の様々な形態で実施されることが可能であり、発明の要旨を逸脱しない範囲で、種々の省略、置き換え、変更を行うことも可能である。
【００９７】
また、上述のＣＰＵ１２としては、ソフトウェアによって各機能を実行するようプログラムされたプロセッサ、及び、各機能を実行するよう設計されたＡＳＩＣ（Application  Specific  Integrated  Circuit）、ＩＣ（Integrated  Circuit）又は回路モジュールなどのハードウェアを含むものとする。
【００９８】
また、上述の各実施の形態は、情報処理技術分野における通常の知識を有した技術者であれば、ＡＳＩＣ（Application  Specific  Integrated  Circuits）や、従来の回路モジュールを接続して構成した装置によって実施することが可能である。
【００９９】
また、上述の各実施の形態に記載された各機能は、それぞれ、一又は複数の処理回路（Circuit）によって実現することが可能である。なお、「処理回路」とは、ソフトウェアによって各機能を実行するようプログラムされたプロセッサ、各機能を実行するよう設計されたＡＳＩＣ及び回路モジュール等のハードウェアを含むものとする。
【０１００】
このような実施の形態及び実施の形態の変形は、発明の範囲や要旨に含まれると共に、特許請求の範囲に記載された発明とその均等の範囲に含まれるものである。
【符号の説明】
【０１０１】
１  ファクシミリ装置
２  正しい送信先のファクシミリ装置
３  誤送信先のファクシミリ装置
１１  ファクシミリ通信部
１２  ＣＰＵ
１３  スキャナ部
１４  プロッタ部
１５  タッチパネル
１６  ＲＯＭ
１７  不揮発性メモリ
１８  ＲＡＭ
２１  操作記録テーブル
２２  送信画像テーブル
２３  送信履歴テーブル
２４  アドレス帳
２５  送信画像
２６  受信履歴テーブル
２７  一時操作記録テーブル
２８  送信先宛先リスト
３０  宛先入力制御部
３１  第１のジョブ特定部
３２  第２のジョブ特定部
３３  送信制御部
３４  受信制御部
３５  表示制御部
【先行技術文献】
【特許文献】
【０１０２】
【特許文献１】特開２０１０−１９９８０１号公報
【図１】
2018152732.tif 000003
【図２】
2018152732.tif 000004
【図３】
2018152732.tif 000005
【図４】
2018152732.tif 000006
【図５】
2018152732.tif 000007
【図６】
2018152732.tif 000008
【図７】
2018152732.tif 000009
【図８】
2018152732.tif 000010
【図９】
2018152732.tif 000011
【図１０】
2018152732.tif 000012
【図１１】
2018152732.tif 000013
【図１２】
2018152732.tif 000014
【図１３】
2018152732.tif 000015
【図１４】
2018152732.tif 000016
【図１５】
2018152732.tif 000017
【図１６】
2018152732.tif 000018
【図１７】
2018152732.tif 000019
【図１８】
2018152732.tif 000020
【図１９】
2018152732.tif 000021
【図２０】
2018152732.tif 000022
【図２１】
2018152732.tif 000023
【図２２】
2018152732.tif 000024
【図２３】
2018152732.tif 000025
【図２４】
2018152732.tif 000026
【図２５】
2018152732.tif 000027
【図２６】
2018152732.tif 000028
【図２７】
2018152732.tif 000029
【図２８】
2018152732.tif 000030